(57)【特許請求の範囲】
【請求項１】
貯湯式給湯器と、この貯湯式給湯器の出湯経路下流側に配置され該出湯を追い炊きする補助給湯器と、を備えた給湯システムにおいて、
前記貯湯式給湯器からの湯を、前記補助給湯器をバイパスして給湯端末に直接出湯するバイパス配管と、
前記貯湯式給湯器からの湯を、前記補助給湯器を経由して給湯端末に出湯する補助配管と、
前記貯湯式給湯器からの湯を、該湯温が所定温度より高い時には前記バイパス配管に通し、該湯温が所定温度以下の時には前記補助配管に通すように流路を切り替える切替弁と、を備え、
前記所定温度とは、給湯端末から出湯される湯温の設定温度より低い温度であり、且つ前記補助給湯器への供給水の温度が高くなり当該補助給湯器で異常動作が発生するときの異常動作温度である、ことを特徴とする給湯システム。
【請求項２】
前記貯湯式給湯器からの湯の温度を検出する温度センサと、
前記温度センサにより検出された湯温度に応じて、前記切替弁の切り替え、及び前記補助給湯器の稼動をそれぞれ制御する制御部と、を備えたことを特徴とする請求項１に記載の給湯システム。
【発明の詳細な説明】
【技術分野】
【０００１】
本発明は、貯湯式給湯器とそれを補助するガス給湯器等とのハイブリッド型の給湯システムに関する。
【背景技術】
【０００２】
この種の給湯システムとして、ヒートポンプ給湯器と、このヒートポンプ給湯器のヒートポンプの運転の立ち上がり時など、沸き上げ温湯が上昇するまでの間、他熱源の補助給湯器により追い炊きするのものが知られている（例えば、特許文献１参照）。この種の給湯システムの構成を図６に示す。この給湯システム１００は、貯湯式給湯器（ヒートポンプ給湯器）１０１と、その下流側に設けられたガス給湯器１０２とを備え、ガス給湯器１０２の下流側の出湯配管１０３を介して出湯端末のカランに出湯する。この給湯システム１００においては、出湯量の増大などにより、ヒートポンプ給湯器１０１からの湯量が不足したときに、ガス給湯器１０２を稼動する。
【先行技術文献】
【特許文献】
【０００３】
【特許文献１】特開２００７−２５５７７５号公報
【発明の概要】
【発明が解決しようとする課題】
【０００４】
このような給湯システムにおいて、補助給湯器にガス給湯器を用いる場合、ガス給湯器に所定温度以上の温湯が供給されると、ガスバーナ出力調整ができなくなる等の異常動作が発生することがあり、そのとき、補助給湯器の稼働が停止して出湯できなくなることがある。
【０００５】
本発明は、上記問題を解決するためになされたものであり、貯湯式給湯器からの出湯を追い炊きする補助給湯器を有する給湯システムにあって、貯湯式給湯器からの高温湯による補助給湯器の異常動作を未然に防止することができる給湯システムを提供することを目的とする。
【課題を解決するための手段】
【０００６】
上記目的を達成するために本発明の給湯システムは、貯湯式給湯器と、この貯湯式給湯器の出湯経路下流側に配置され該出湯を追い炊きする補助給湯器と、を備えた給湯システムにおいて、前記貯湯式給湯器からの湯を、前記補助給湯器をバイパスして給湯端末に直接出湯するバイパス配管と、前記貯湯式給湯器からの湯を、前記補助給湯器を経由して給湯端末に出湯する補助配管と、前記貯湯式給湯器からの湯を、該湯温が所定温度より高い時には前記バイパス配管に通し、該湯温が所定温度以下の時には前記補助配管に通すように流路を切り替える切替弁と、を備え、前記所定温度とは、給湯端末から出湯される湯温の設定温度より低い温度であり、且つ前記補助給湯器への供給水の温度が高くなり当該補助給湯器で異常動作が発生するときの異常動作温度である、ことを特徴とする。
【０００７】
この給湯システムにおいて、前記貯湯式給湯器からの湯の温度を検出する温度センサと、前記温度センサにより検出された湯温度に応じて、前記切替弁の切り替え、及び前記補助給湯器の稼動をそれぞれ制御する制御部と、を備えたことが好ましい。
【発明の効果】
【０００８】
本発明の給湯システムによれば、貯湯式給湯器からの湯温が低い時は、補助給湯器で追い炊きして出湯できると共に、その湯温が補助給湯器において異常動作が発生するような高温のときは、補助給湯器をバイパスして出湯することにより異常動作の発生を未然に防止することができる。
【図面の簡単な説明】
【０００９】
【図１】本発明の第１の実施形態に係る給湯システムの構成図。
【図２】同上システムでヒートポンプ給湯器に十分湯がないときの出湯経路を説明する図。
【図３】上記実施形態の変形例の構成図。
【図４】本発明の第２の実施形態に係る給湯システムの構成図。
【図５】同上システムでヒートポンプ給湯器に十分湯がないときの出湯経路を説明する図。
【図６】従来の給湯システムの構成図。
【発明を実施するための形態】
【００１０】
（第１の実施形態）
本発明の第１の実施形態に係る給湯システムについて、図１及び図２を参照して説明する。図１に示されるように、給湯システム１は、貯湯式給湯器２と、その下流側に配置されるガス給湯器等の補助給湯器３と、これら給湯器からの湯を給湯端末４に送出する出湯配管５と、出湯配管５中に配置される切替弁６と、システムを制御する制御部７とを備える。貯湯式給湯器２は、ヒートポンプ（ＨＰという）を有するヒートポンプ給湯器（ＨＰ給湯器という）からなり、市水を給水する給水管８に接続されている。ここでは、給湯端末４はカランとしている。制御部７は、貯湯式給湯器２及び補助給湯器３から出湯される湯の温度を設定するための設定部９を有し、各給湯器２、３及び切替弁６を含むシステム全体を制御する。給湯システム１においては、貯湯式給湯器２からの湯の温度が所定温度以下の時は、補助給湯器３が自動的に稼働して追い炊きして出湯する。また、貯湯式給湯器２からの湯の温度が所定温度より高い時は、補助給湯器３をバイパスして出湯する。
【００１１】
貯湯式給湯器２は、給水を沸かし上げるＨＰからなる熱源機の２１と、この熱源機２１で沸き上げた温湯を貯湯するタンク２２と、タンク２２の貯湯量を検知するための湯量センサ２３とを有し、タンク２２の上部側に混合弁２４が取付けられている。混合弁２４は、三方弁を有し、その二方にそれぞれ給水管８とタンク２２上部からの高温配管２５とが接続され、残りの一方に出湯配管５のうちの中継配管５１に接続されている。また、中継配管５１の混合弁２４に近い側に、貯湯式給湯器２からの出湯温度を検出する温度センサ２６が設けられている。湯量センサ２３及び温度センサ２６はそれぞれ湯量検出信号及び温度検出信号を制御部７に送る。
【００１２】
熱源機２１は、送揚ポンプ（不図示）を有しており、タンク２２の底部から接続配管を介して水を吸引して沸かし上げる。この沸上湯は他の接続配管を介してタンク２２の頂部へ給湯される。また、熱源機２１は制御部７で制御され、設定部９で設定された沸上温度になるように給水を沸き上げる。この沸上温度は、例えば９０℃近くに設定されている。
【００１３】
タンク２２は、その底部側で給水管８に繋がれ給水圧により圧入される水を貯留し、その頂部側で熱源機２１からの沸上湯を貯湯していく。ここで、タンク２２内には、その頂部から底部に向って、高温領域２２ａと、中温及び低温となる中低温領域２２ｂとの温度成層が形成される。これらの領域における層幅は、貯湯式給湯器２からの出湯量に伴って変化し、出湯量が多いと高温領域２２ａが狭くなり中低温領域２２ｂが広くなる。
【００１４】
湯量センサ２３は、タンク２２の上部から下部にかけて配置した複数の温度センサで構成され、各温度センサによりタンク２２の各位置の湯温度を検出し湯量検出信号として制御部７に送る。制御部７はこの湯量検出信号からの位置情報と温度情報を基にタンク２２の残湯量を検出する。なお、中継配管５１に流量計（不図示）を設け、その流量計で測定される流量と、温度センサ２６で検出された湯の温度とを基に湯量を検出してもよい。また、温度センサに熱電対等を用いてもよい。
【００１５】
混合弁２４は、貯湯式給湯器２からの給湯温度を調節するための温度調整弁であり、タンク２２から高温配管２５を介して供給される温湯と給水管８からの給水とを混合し、その混合比を可変して混合湯の温度を調整して出湯する。ここでは、混合弁２４は、タンク２２の頂部の湯温（例えば、９０℃）と底部の給水温度とに基づきその混合比が調整され、制御部７により混合湯からの給湯温度Ｔａが設定部９で設定された設定温度Ｔｓになるように制御される。また、混合弁２４は温度センサ２６からの温度情報に基いても制御することができる。なお、混合弁２４は貯湯式給湯器２からの湯の給湯温度Ｔａを設定温度Ｔｓに設定して出湯できるものであればこれに限らない。また、給水管８からの給水温度は、給水管８側に温度センサ（不図示）を設けるなどして検出される。
【００１６】
補助給湯器３は、出湯配管５の補助配管５３中にあって、貯湯式給湯器２と直列にその出湯経路下流側に位置して配置され、その出湯を追い炊きする。補助給湯器３は、給水を沸き上げる加熱部３１と、内部配管３２と、この加熱部３１からの給湯温度を検出するための温度センサ３３とを備え、内部配管３２は補助配管５３中に位置されてそれと直列に配管接続され、加熱部３１内を通過する。なお、補助給湯器３は、内部配管３２内で給水されていないときは、自動的に稼働が停止されるようになっている。
【００１７】
加熱部３１は、補助給湯器３がガス給湯器の場合は、ガスバーナを熱源とする熱交換器が用いられ、熱交換器内を通る内部配管３２内の湯水を急速に加熱できるようになっている。温度センサ３３は、例えば補助給湯器３の出湯口の内部配管３２の近くで出湯温度Ｔｂを検出し、その温度検出信号を制御部７に送る。制御部７は、この温度検出信号を基に出湯温度Ｔｂがユーザの希望する設定温度Ｔｓ（例えば、４２℃）となるように、加熱部３１を制御する。このとき、補助給湯器３からの出湯温度Ｔｂは、常に設定温度Ｔｓとなるように制御され、一定温度となってカラン４へ給湯される。なお、内部配管３２はその配管中に補助給湯器３の異常動作時に出湯を遮断するための遮断弁を有していてもよい。
【００１８】
出湯配管５は、貯湯式給湯器２とカラン４とを中継するための中継配管５１と、中継配管５１とカラン４との間にあり中継配管５１から分岐されるバイパス配管５２及び補助配管５３と、これらの配管５２及び５３に接続される切替弁６と、出力配管５４とを備える。出力配管５４は切替弁６とカラン４とを繋ぐ配管である。バイパス配管５２は貯湯式給湯器２からの湯を、補助給湯器３をバイパスしてカラン４に直接出湯するための配管である。補助配管５３は貯湯式給湯器２からの湯を、補助給湯器３を経由してカラン４に出湯するための配管である。
【００１９】
切替弁６は、三方弁からなり、その二方の入力端にはそれぞれバイパス配管５２と補助配管５３の下流側端に接続され、残りの一方には出力配管５４に接続される。切替弁６は、貯湯式給湯器２からの湯をバイパス配管５２と補助配管５３のいずれに通すかを切り替える。
【００２０】
設定部９は、貯湯式給湯器２及び補助給湯器３の各給湯温度等を設定するための入力手段（不図示）と、この入力手段からの入力されたそれらの設定温度のデータを記憶するための記憶部（不図示）とを有し、その記憶部の各データは制御部７に供給される。また、記憶部は、混合弁２４により調整される設定温度Ｔｓを得るための混合比も記憶している。制御部７は、この混合比を基に、中継配管５１への給湯温度Ｔａを設定温度Ｔｓとするように混合弁２４を制御する。
【００２１】
制御部７は、マイコンを有し、湯量センサ２３により検出されるタンク２２の残湯量を基に、熱源機２１の沸き上げを制御し、混合弁２４の混合比を可変して、貯湯式給湯器２からの給湯温度Ｔａが設定部９で設定される設定温度Ｔｓとなるように制御する。また、制御部７は温度センサ２６からの検出温度に基き、切替弁６の切り替えを行うと共に、補助給湯器３の稼動を制御する。
【００２２】
また、制御部７は、温度センサ３３からの温度検出信号に基き、補助給湯器３の給湯温度Ｔｂが設定部９で設定される設定温度（例えば、Ｔｓ）になるように、補助給湯器３の熱源機３１を制御する。なお、制御部７は貯湯式給湯器２と補助給湯器３とにそれぞれ設けてもよい。
【００２３】
この貯湯式給湯器２においては、設定部９により熱源機２１の沸上温度が、例えば最大沸上可能温度に近い９０℃に設定され、例えば貯湯式給湯器２からの給湯温度Ｔａの設定温度Ｔｓが使用温度（例えば、４２℃）に設定されている。このとき、混合弁２４はその混合比が９０℃の高温湯と給水との混合湯が使用温度になるように設定され、その混合湯を中継配管５１に供給する。また、補助給湯器３においては、例えばその出湯温度Ｔｂは貯湯式給湯器２からの給湯温度Ｔａと同じ設定温度Ｔｓに設定されている。
【００２４】
ここで、制御部７による給湯システム１の制御について説明する。制御部７は、通常、湯量センサ２３からの湯量検出信号を基に貯湯式給湯器２から湯の給湯温度Ｔａを設定温度Ｔｓに保つように制御している。ここでは、この状態において、制御部７による切替弁６の制御について説明する。
【００２５】
図１に示すように、貯湯式給湯器（ＨＰ給湯器）２に残湯量が十分あるときは、切替弁６は給水側のバイパス配管５２と出力配管５４とが接続されるように切り替えられ、貯湯式給湯器２からの湯がカラン４に直接出湯される。ここでは、設定部９で設定温度Ｔｓより低い所定温度が予め設定されており、制御部７は、温度センサ２６からの温度検出信号に基き、貯湯式給湯器２からの湯の給湯温度Ｔａが所定温度より高ければ、切替弁６をバイパス配管５２側に切り替えるように制御する。
【００２６】
上記所定温度は、例えば、補助給湯器３がガス給湯器の場合、ガス給湯器が稼働中に、補助給湯器３への供給水の温度が高くなり、補助給湯器３で異常動作が発生するときの異常動作温度に設定される。このガス給湯器の異常動作は、例えばガス給湯器に供給される湯の温度とガス給湯器から出湯される湯の給湯温度（設定温度Ｔｓ）との温度差が確保できなくなると、ガスバーナ出力調整ができなくなることや、このためにガス給湯器が急に停止されること等である。
【００２７】
次に、図２を参照して、貯湯式給湯器（ＨＰ給湯器）２に残湯量が十分にない場合の制御部７による制御について説明する。貯湯式給湯器２においては、その立ち上がり時や、カラン４から吐出する使用湯量が急増した場合や、周囲温度の急激な低下でタンク２２の貯湯熱量が低下した場合などに、熱源機２１での沸き上げが間に合わず、タンク２２の貯湯量が不足することがある。このため、混合弁２４による給湯温度Ｔａの調整が限界となって、給湯温度Ｔａが設定温度Ｔｓに維持されずに低下するようになる。
【００２８】
このとき、制御部７は、上記のように貯湯式給湯器２に残湯量が十分になく、貯湯式給湯器２からの湯温が所定温度以下の時には、その温湯が補助給湯器３を経由して補助配管５３を通ってカラン４から出湯するように切替弁６を切り替える。すなわち、制御部７は、温度センサ２６の温度検出信号を基に貯湯式給湯器２から湯の給湯温度Ｔａが所定温度以下に低下したことを検知すると、補助配管５３と出力配管５４とを繋ぐように切替弁６を切り替える。これにより、貯湯式給湯器２からの湯が補助給湯器３に給湯され、制御部７はタンク２２で不足した給湯量を補うために補助給湯器３を稼働させ、補助給湯器３で設定温度Ｔｓまで加熱して出湯する。
【００２９】
具体的には、例えば、制御部７はタンク２２の貯湯熱量が減って、給湯温度Ｔａが設定温度Ｔｓ（例えば４２℃）より低く、かつ所定温度より低い、例えば３５℃以下となったとすると、切替弁６を補助配管５３側に切り替え、補助給湯器３を稼働させる。ここで、補助給湯器３の温度センサ３３からの検出温度を基に、その出湯温度Ｔｂが設定温度Ｔｓとなるように加熱部３１を制御する。これにより、補助給湯器３からの出湯温度Ｔｂは、設定温度Ｔｓに維持され、設定温度Ｔｓの湯をカラン４から出湯する。
【００３０】
ここで、制御部７は、補助給湯器３から出湯している状態で、タンク２２の残湯量が増して、貯湯式給湯器２から供給される湯の温度が上昇し、温度センサ２６で検出した給湯温度Ｔａが所定温度より高くになると、切替弁６をバイパス配管５２側に切り替える。これと同時に、制御部７は補助給湯器３を停止する。すなわち、ガス給湯器を使用する補助給湯器３は、貯湯式給湯器２からの給水を加熱中に、給水温度が高くなってきて、給水温度とガス給湯器からの出湯温度との温度差が確保できなくなる前に、出湯配管が切り替えられ、加熱が停止される。従って、補助給湯器３は所定温度より高い温湯が供給される前に、その稼動が停止されるので、ガスバーナ出力調整ができない等の異常動作が発生しなくなる。
【００３１】
また、補助給湯器３は、貯湯式給湯器２からの給湯を加熱する際、熱源機２１が稼動しているタンク２２内の湯は給水温より温度が高く、例えば３０℃程度になっているとすると、３０℃の温湯から設定温度Ｔｓ（例えば４２℃）まで追い炊きすればよい。通常、補助給湯器３は、入力される給水の温度が低いほど出湯可能量が減り、給水温度が高いほど出湯可能量が増加する。ここでは、補助給湯器３は、３０℃から沸き上げればよいので、例えば水温から４２℃まで沸き上げるタイプの補助給湯器に比べ、その出湯容量を小さくしても、十分な湯量を給湯することが可能となり、小型の給湯器を使用でき、省スペース化、低廉化が図れる。
【００３２】
本実施形態の給湯システム１によれば、貯湯式給湯器２からの湯が、補助給湯器３で異常動作が発生する所定温度より高い場合に、補助給湯器３をバイパスして出湯できるので、ガス給湯器等の補助給湯器３における異常動作の発生を未然に防止することができる。また、貯湯式給湯器２の給湯温度Ｔａが所定温度以下に低下した場合は、その出湯の不足熱量分を補助給湯器３で直接補うことができ、湯切れを防止することができる。
【００３３】
また、補助給湯器３は、中継配管５１及び補助配管５３を通して連続して貯湯式給湯器２と繋がれ、常に貯湯式給湯器２から給湯可能状態にあるので、切替弁６が補助配管５３側に切替わると、直ぐに貯湯式給湯器２からの湯を加熱して出湯することができる。
【００３４】
なお、制御部７等にタイマを備え、切替弁６を補助配管５３側に切り替えた状態で、補助給湯器３が一定時間以上稼動しても、その給湯温度Ｔｂが上昇しないときは、補助給湯器３を停止し、切替弁６をバイパス配管５２側に強制的に切り替えるようにしてもよい。
【００３５】
また、補助給湯器３の出口側の補助配管５３に第２の混合弁を設け、補助給湯器３の出湯の温度設定を設定温度Ｔｓより高い設定温度Ｔｈに設定し、この高温湯と給水管８からの給水とを第２の混合弁で混合した混合湯が設定温度Ｔｓになるように調整してもよい。これにより、補助給湯器３への給水温度が高くなったときも、補助給湯器３への給湯温度と、補助給湯器３からの出湯温度（設定温度Ｔｈ）との温度差を保つようにでき、ガス給湯器の異常動作温度を高めるようにできる。すなわち、高温湯で補助給湯器３が異常動作を発生し難くなり、異常動作温度を高温化でき、これに対応して所定温度は、その設定温度を高くできるので、貯湯式給湯器２の設定温度Ｔｓに近づけることができる。
【００３６】
従って、貯湯式給湯器２の湯がバイパス配管５２を介して出湯される際、湯量が減って、補助配管５３に切替わる前に設定温度Ｔｓより低い所定温度までの温度で出湯される場合に、所定温度を上げることにより、出湯温度をほぼ設定温度Ｔｓとするようにできる。これにより、貯湯式給湯器２からの出湯が、バイパス配管５２又は補助配管５３の、いずれを介する場合も、常に設定温度Ｔｓに近い給湯温度でカラン４から出湯するようにでき、湯切れが抑制される。
【００３７】
（変形例）
図３は、上記実施形態の変形例を示す。この変形例においては、補助給湯器３は、その内部に温度センサ３３と、温度センサ３３に基き補助給湯器３の稼働を制御する制御部３４とを備える。この変形例は、補助給湯器３が外部の制御部７からの制御ではなく、補助給湯器３内で独立に出湯制御できるようにしたものである。
【００３８】
この補助給湯器３は、給水があると湯量センサ（不図示）等からの湯量情報を基に制御部３４の制御により自動的に稼働し、通過する湯温を沸き上げる。この補助給湯器３にガス給湯器を用いた場合は、補助給湯器３への給水の温度と、そこからの出湯の温度との間で温度差があると、前述と同様にガスバーナ出力調整ができない等の異常動作が発生するが、切替弁６を切り替えることにより、この異常動作を回避できる。本変形例では、補助給湯器３自身でその稼働を制御できるので、システムの制御系の構成が簡単になる。なお、制御部３４はマイコンを用いた帰還制御だけでなく、例えばバイメタル等を用い温度による物理的変化で接点が自動的に切り替わる接点切替スイッチ等を用い、補助給湯器３のオンオフを、その中を通る給水の温度により自動的に切り替えて制御してもよい。また、上記接点切替スイッチ等を用い、温度センサなしに補助給湯器３の稼働を湯温等の温度で切り替えるようにしてもよい。また、温度変形する形状記憶合金を用いて、接点切替スイッチを形成してもよい。
【００３９】
（第２の実施形態）
本発明の第２の実施形態に係る給湯システムについて、図４及び図５を参照して説明する。図４に示されるように、本実施形態の給湯システム１は、切替弁６をバイパス配管５２及び補助配管５３の各上流側に配置した以外は、前記実施形態と同様の構成を成し、同様の動作を行う。
【００４０】
切替弁６は、出湯配管５中において、切替弁６の一方の入力端に中継配管５１の下流側端を、その二方の出力端にバイパス配管５２及び補助配管５３の各上流側端をそれぞれ接続するように配置される。切替弁６は、貯湯式給湯器２からの湯が所定温度より高いときは、中継配管５１とバイパス配管５２とを接続するように切替わり、貯湯式給湯器２からの湯が所定温度以下の時は、中継配管５１と補助配管５３とを接続するように切替わる。
【００４１】
出湯配管５は、バイパス配管５２及び補助配管５３のそれぞれの下流側端と、出力配管５４とを結合するための三分岐配管５５を有する。これらバイパス配管５２及び補助配管５３は三分岐配管５５近くにそれぞれ逆止弁（不図示）を有し、それらの配管からは、出力配管５４の一方向しか出湯しないようになっている。なお、三分岐配管５５は、バイパス配管５２と補助配管５３のいずれかを出力配管５４に切り替えて接続する三方弁からなる切替弁としてもよい。
【００４２】
この給湯システム１においては、貯湯式給湯器２からの湯は、タンク２２に残湯量が十分にあり、その温度が所定温度より高い場合は、切替弁６でバイパス配管５２を通るように切り替えられ、三分岐配管５５から出力配管５４を通ってカラン４に出湯される。
【００４３】
また、図５に示されるように、貯湯式給湯器２からの湯は、タンク２２に残湯量が十分になく、その温度が所定温度以下に低下した場合は、切替弁６で補助配管５３を通るように切り替えられ、補助給湯器３で加熱されて三分岐配管５５からカラン４に出湯される。
【００４４】
本実施形態では、貯湯式給湯器２からの湯が所定温度より高温のとき、補助配管５３の上流側端が中継配管５１と遮断されるので、補助給湯器３には、全く給湯されない。従って、仮に、補助給湯器３が誤動作しても、湯を出湯することはない。
【００４５】
なお、本発明は、上記の実施形態の構成に限られず、発明の要旨を変更しない範囲で種々の変形が可能である。例えば、上記各実施形態では、補助給湯器はガス給湯器以外に、電気温水器や、灯油、石油、太陽熱、燃料電池などによる他の熱源を用いた給湯器であってもよい。また、補助給湯器はガス給湯器等を複数設け、それらを互いに直列に配置してもよい。
【符号の説明】
【００４６】
１  給湯システム
２  貯湯式給湯器
２６  温度センサ
３  補助給湯器
４  カラン（出湯端末）
５  出湯配管（バイパス配管、補助配管）
５２  バイパス配管
５３  補助配管
６  切替弁
７  制御部
【図１】
0005857259.tif 000002
【図２】
0005857259.tif 000003
【図３】
0005857259.tif 000004
【図４】
0005857259.tif 000005
【図５】
0005857259.tif 000006
【図６】
0005857259.tif 000007